(57)【要約】【課題】集積化が容易な回路を用いて過大電圧を制限する圧電トランス式電源装置を提供する。【解決手段】圧電トランスと整流平滑部とを備え、圧電トランスの出力電圧を整流平滑して負荷に供給する圧電トランス式電源装置であって、負荷を流れる電流により生じる電圧が、整流平滑部の出力電圧を分圧した電圧より小さい状態を検出する過電圧検出部と、負荷の経路と並列に設けられ、比較部の検出結果に応じて導通状態となるバイパス経路とを備える。【選択図】図１
2014171361.tif 000002
【特許請求の範囲】
【請求項１】
圧電トランスと整流平滑部とを備え、前記圧電トランスの出力電圧を整流平滑して負荷に供給する圧電トランス式電源装置であって、
前記負荷を流れる電流により生じる電圧が、前記整流平滑部の出力電圧を分圧した電圧より小さい状態を検出する過電圧検出部と、
前記負荷の経路と並列に設けられ、前記比較部の検出結果に応じて導通状態となるバイパス経路と、
を備えたことを特徴とする圧電トランス式電源装置。
【請求項２】
前記過電圧検出部は、
前記負荷回路と直列に接続された抵抗Ｒ１と、
前記整流平滑部の出力電圧を分圧して出力する分圧回路と、
前記抵抗Ｒ１に生じる電圧と前記分圧回路の出力電圧とを比較するコンパレータ回路とにより構成されることを特徴とする請求項１に記載の圧電トランス式電源装置。
【請求項３】
前記バイパス経路は、
前記コンパレータ回路の出力によりオンオフ制御されるトランジスタと、
抵抗Ｒ２とが直列に接続されて構成されることを特徴とする請求項２に記載の圧電トランス式電源装置。
【請求項４】
前記コンパレータ回路の出力が不定の場合に、前記コンパレータ回路の出力端子を前記整流平滑回路の出力電圧にプルアップする抵抗Ｒ３をさらに備えたことを特徴とする請求項２または３に記載の圧電トランス式電源装置。
【発明の詳細な説明】
【技術分野】
【０００１】
本発明は、負荷回路に電圧を供給する圧電トランス式電源装置に関し、特に、負荷回路への過大電圧を制限する圧電トランス式電源装置に関する。
【背景技術】
【０００２】
エネルギー変換効率が高く、小型化が容易な電源装置として、圧電トランスを用いた圧電トランス式電源装置が知られている。圧電トランスは、入力電圧を変圧して出力する圧電セラミックス等を利用したトランスである。圧電トランスは、セラミックス矩形板の上下部および端部に電極を設け、厚みと長さ方向にそれぞれ分極した構造となっており、厚み方向に分極した部分が１次側（駆動部）、長さ方向に分極した部分が２次側（発電部）となり、１次側の電極間の電界で発生した振動が２次側の電極間に伝搬して、電圧を発生させる仕組みとなっている。
【０００３】
図４は、圧電トランス式電源装置の基本構成を示す図である。本図に示すように、電源装置３００は、圧電トランス駆動回路３１０、圧電トランス３２０、整流平滑回路３３０を備え、負荷回路３４０に直流出力電圧ＶOを供給する。定電圧を供給するために、負荷回路３４０を流れる電流を検出して、圧電トランス駆動回路３１０の周波数を制御する方式の電源装置も用いられているが、本図の例では、圧電トランス駆動回路３１０は、圧電トランス３２０を、その共振周波数近傍の一定周波数で駆動する。
【０００４】
本例の電源装置３００は、圧電トランス駆動回路３１０に電気的な帰還を行なわないため、圧電トランス３２０の１次側と２次側とで絶縁が確保されている。このような電源装置３００は、例えば、負荷回路３４０としてレギュレータを接続することで、安定した電圧を供給する絶縁型の電源システムを構成することができる。
【０００５】
一般に、圧電トランス３２０は、２次側の負荷抵抗の変化による昇圧比の変動が大きく、図５に示すように、負荷抵抗が大きいほど昇圧比が大きくなって、出力電圧ＶOが大きくなるという性質を有している。
【０００６】
このため、動作中に負荷回路３４０の抵抗が大きな値に変動したり、起動時等に負荷回路３４０が過渡的に高い抵抗値を示したりすると、負荷回路３４０に過大電圧を出力し、負荷回路３４０に悪影響を与えてしまうおそれがある。
【０００７】
この過大電圧を制限するために、特許文献１には、図６に示すような電源装置４００が開示されている。電源装置４００は、制御部４１０が駆動部４２０の動作を制御することにより圧電トランス４３０を駆動し、負荷回路４６０に交流電圧を供給する。電源装置４００は、電流検出部４５０で負荷回路４６０に流れる電流を検出し、基準値と比較することにより、駆動部４２０の動作周波数を調整している。電気的な帰還を行なうため、圧電トランス４３０の１次側と２次側との絶縁は確保されていない。
【０００８】
過大電圧を制限するために、電源装置４００は、負荷回路４６０と並列にサージクランパ４４０が設けられており、負荷回路４６０のインピーダンスが大きくなり、圧電トランス４３０の出力電圧が所定の値まで上昇すると、サージクランパ４４０が動作してサージ電流が流れるようになっている。
【０００９】
負荷回路４６０のインピーダンスが大きくなっても、サージクランパ４４０にサージ電流が流れることにより、圧電トランス４３０から見た負荷インピーダンスは低下し、圧電トランス４３０の出力が低下するために、負荷回路４６０への過大電圧が制限される。なお、サージクランパ４４０は、バリスター、ツェナーダイオード等の半導体素子で構成される。
【先行技術文献】
【特許文献】
【００１０】
【特許文献１】特開平９−９６４０号公報
【発明の概要】
【発明が解決しようとする課題】
【００１１】
サージクランパを構成するバリスター、ツェナーダイオード等の半導体素子は、一般に実装面積が大きく、集積化に不向きである。このため、集積化が容易な回路を用いて過大電圧を制限できる圧電トランス式電源装置を構成することが望まれている。
【００１２】
そこで、本発明は、集積化が容易な回路を用いて過大電圧を制限する圧電トランス式電源装置を提供することを目的とする。
【課題を解決するための手段】
【００１３】
上記課題を解決するため、本発明は、圧電トランスと整流平滑部とを備え、前記圧電トランスの出力電圧を整流平滑して負荷に供給する圧電トランス式電源装置であって、前記負荷を流れる電流により生じる電圧が、前記整流平滑部の出力電圧を分圧した電圧より小さい状態を検出する過電圧検出部と、前記負荷の経路と並列に設けられ、前記比較部の検出結果に応じて導通状態となるバイパス経路と、を備えたことを特徴とする。
ここで、前記過電圧検出部は、前記負荷回路と直列に接続された抵抗Ｒ１と、前記整流平滑部の出力電圧を分圧して出力する分圧回路と、前記抵抗Ｒ１に生じる電圧と前記分圧回路の出力電圧とを比較するコンパレータ回路とにより構成することができる。
このとき、前記バイパス経路は、前記コンパレータ回路の出力によりオンオフ制御されるトランジスタと、抵抗Ｒ２とが直列に接続されて構成することができる。
また、前記コンパレータ回路の出力が不定の場合に、前記コンパレータ回路の出力端子を前記整流平滑回路の出力電圧にプルアップする抵抗Ｒ３をさらに備えるようにしてもよい。
【発明の効果】
【００１４】
本発明によれば、集積化が容易な回路を用いて過大電圧を制限する圧電トランス式電源装置が提供される。
【図面の簡単な説明】
【００１５】
【図１】本発明の実施形態である圧電トランス式電源装置の構成を示す図である。
【図２】正常動作中に負荷回路の抵抗が大きい値に変動したときの過大電圧制限動作について説明するタイミング図である。
【図３】過大電圧制限回路の別例を示す図である。
【図４】圧電トランス式電源装置の基本構成を示す図である。
【図５】圧電トランスの負荷抵抗の変化による昇圧比の変動を示す図である。
【図６】サージクランパを用いた圧電トランス式電源装置の構成を示す図である。
【発明を実施するための形態】
【００１６】
本発明の実施の形態について図面を参照して説明する。図１は、本発明の実施形態である圧電トランス式電源装置の構成を示す図である。
【００１７】
本図に示すように、電源装置１００は、圧電トランス駆動回路１１０、圧電トランス１２０、整流平滑回路１３０、過大電圧制限回路１４０を備え、負荷回路１６０に直流電圧ＶOを供給する。圧電トランス駆動回路１１０は、圧電トランス１２０を、その共振周波数近傍で駆動する。本実施形態の電源装置１００は、圧電トランス１２０の１次側と２次側とが絶縁されている絶縁型電源である。ただし、本発明は、非絶縁型の電源に適用することもできる。
【００１８】
過大電圧制限回路１４０は、整流平滑回路１３０の出力電圧を入力し、負荷回路１６０に電圧ＶOを供給する回路であり、電圧ＶOが過大電圧とならないように制御する。
【００１９】
本実施形態において過大電圧制限回路１４０は、負荷回路１６０を流れる電流ＩLに応じた電圧ＶLを生じさせる抵抗Ｒ１と、整流平滑回路１３０の出力電圧を分圧して電圧ＶRを生成する分圧回路１４１と、電圧ＶRと電圧ＶLとを比較し、比較結果を示す電圧ＶCを出力するＣｍｐと、電圧ＶCでオンオフ動作するスイッチング用のＴｒと抵抗Ｒ２とが直列に接続され、負荷回路１６０と抵抗Ｒ１との経路に対して並列に設けられたバイパス経路１４２と、起動時等にＣｍｐの出力が不定となっても、電圧ＶCを整流平滑回路１３０の出力電圧にプルアップしてＴｒをオンさせる抵抗Ｒ３とを備えている。これらの素子は、いずれも高集積化が容易である。
【００２０】
本図の例では、スイッチング用のＴｒは、ＮＭＯＳ型トランジスタを用いており、分圧回路１４１は、抵抗Ｒａと抵抗Ｒｂを用い、抵抗Ｒｂに生じる電圧を出力するように構成している。また、Ｃｍｐは、コンパレータ回路により構成され、電圧ＶRが電圧ＶLよりも大きい場合にハイレベルを出力する。なお、抵抗Ｒ１と分圧回路１４１とＣｍｐとで過電圧検出部を構成している。
【００２１】
圧電トランス１２０の特性、想定される負荷回路１６０特性等により正常動作とみなすことができる動作中に、負荷回路１６０に流れる電流ＩLによって抵抗Ｒ１で生じる電圧ＶLが、整流平滑回路１３０の出力電圧を分圧して得られる電圧ＶRよりも高くなるように、抵抗Ｒ１、分圧回路１４１を設定する。このような設定により、正常動作中にはＣｍｐの出力電圧ＶCはロウレベルであり、Ｔｒはオフ状態となる。したがって、バイパス経路１４２は不導通状態である。
【００２２】
上記構成の電源装置１００の動作について説明する。まず、正常動作中に負荷回路１６０の抵抗が大きい値に変動したときの過大電圧制限動作について図２のタイミング図を参照して説明する。
【００２３】
上述のように、負荷回路１６０の抵抗値が正常で、負荷回路１６０にある程度の電流ＩLが流れている状態で、電圧ＶLは電圧ＶRよりも大きいため、Ｃｍｐの出力電圧ＶCはロウレベルとなり、Ｔｒはオフ状態となる。このため、バイパス経路１４２に電流ＩDは流れない。
【００２４】
あるタイミングで、負荷回路１６０の抵抗が大きな値に変動すると、圧電トランス１２０の性質により、負荷回路１６０に供給される出力電圧ＶOは、大きくなろうとする。このとき、負荷回路１６０の抵抗が大きくなったことで、負荷回路１６０を流れる電流ＩLが小さくなる。
【００２５】
このため、抵抗Ｒ１により生じる電圧ＶLが、分圧回路１４１の出力電圧ＶRよりも小さくなり、Ｃｍｐの出力電圧ＶCはハイレベルとなって、Ｔｒがオン状態となる。
【００２６】
Ｔｒがオン状態となると、バイパス経路１４２が導通状態となり、電流ＩDが流れ始める。このときのバイパス経路１４２の抵抗は、抵抗Ｒ２とＴｒのオン抵抗との和である。
【００２７】
バイパス経路１４２が導通状態となることにより、圧電トランス１２０から見た負荷抵抗が減少することになり、圧電トランス１２０の出力電圧上昇が抑えられる。この結果、負荷回路１６０に供給される出力電圧ＶOの上昇も抑えられ、負荷回路１６０に対する過大電圧を制限することが可能となる。
【００２８】
なお、抵抗Ｒ２は、Ｔｒがオン状態となったときに、Ｔｒのオン抵抗と合わせて、負荷回路１６０に対する過大電圧を制限するのに十分な電流ＩDを流せる値を設定しておくようにする。また、この設定により、負荷回路１６０の抵抗が大きな値に変動したときに、負荷回路１６０に供給される電圧ＶOを調整することが可能である。
【００２９】
次に、電源装置３００の起動時の過電圧制限動作について説明する。ここでは、負荷回路１６０が動作開始時に過渡的に高抵抗となる場合を例に説明する。電源装置３００の起動前において、圧電トランス駆動回路１１０は動作を行なわず、整流平滑回路１３０の出力電圧は０であるため、Ｔｒはオフ状態となっている。
【００３０】
電源装置３００が起動し、圧電トランス駆動回路１１０が動作を開始すると、整流平滑回路１３０の出力電圧が上昇していき、負荷回路１６０に電圧が供給され始める。上述のように本例では、動作開始時の負荷回路１６０は過渡的に高抵抗となるため、出力電圧ＶOが上昇しようとする。
【００３１】
このとき、起動直後のＣｍｐの出力がハイレベルとならず不定であったとしても、抵抗Ｒ３を介して、電圧ＶCは整流平滑回路１３０の出力電圧にプルアップされる。これにより、Ｔｒがオン状態となって、バイパス経路１４２が導通状態となり、電流ＩDが流れるため、負荷回路１６０に対する過大電圧を制限することが可能となる。
【００３２】
その後、負荷回路１６０の動作が安定し、通常の抵抗値に下がると、ある程度の電流ＩLが流れることにより、Ｃｍｐの出力電圧ＶCはロウレベルとなり、Ｔｒがオフ状態となる。これにより、バイパス経路１４２の電流ＩDが流れなくなり、電源装置３００は、正常動作となる。
【００３３】
以上説明したように、本実施形態によれば、過大電圧制限回路１４０は、高集積化が容易な素子により構成されるため、集積化が容易な過大電圧制限回路１４０を用いた圧電トランス式電源装置が提供される。
【００３４】
なお、過大電圧制限回路１４０は、図１の構成に限られず、種々の変形が可能である。図３（ａ）は、図１に示した構成に対して、抵抗Ｒ１と負荷回路１６０とを入れ替え、Ｃｍｐの入力の極性を反転させて構成した例である。図３（ｂ）は、図１に示した構成に対して、ＴｒをＰＭＯＳ型トランジスタに変更し、抵抗Ｒ３を接地側に接続するとともに、Ｃｍｐの入力の極性を反転させて構成した例である。図３（ｃ）は、図１に示した構成に対して、抵抗Ｒ１と負荷回路１６０とを入れ替え、ＴｒをＰＭＯＳ型トランジスタに変更するとともに、抵抗Ｒ３を接地側に接続して構成した例である。なお、いずれの場合も、ＭＯＳ型電界効果トランジスタに替えてバイポーラトランジスタを用いるようにしてもよい。
【符号の説明】
【００３５】
１００…圧電トランス式電源装置、１１０…圧電トランス駆動回路、１２０…圧電トランス、１３０…整流平滑回路、１４０…過大電圧制限回路、１４１…分圧回路、１４２…バイパス経路、１６０…負荷回路、３００…圧電トランス式電源装置、３１０…圧電トランス駆動回路、３２０…圧電トランス、３３０…整流平滑回路、３４０…負荷回路、４００…圧電トランス式電源装置、４１０…制御部、４２０…駆動部、４３０…圧電トランス、４４０…サージクランパ、４５０…電流検出部、４６０…負荷回路
【図１】
2014171361.tif 000003
【図２】
2014171361.tif 000004
【図３】
2014171361.tif 000005
【図４】
2014171361.tif 000006
【図５】
2014171361.tif 000007
【図６】
2014171361.tif 000008